(57)【要約】【課題】除電器により照射される除電光の光量を残像の発生を抑える光量に調整する除電光量調整装置および画像形成装置を提供する。  【解決手段】感光体上に網点密度０％の静電潜像Ｐ１を形成し電位計で感光体の静電電位を測定して第１の測定値を得る第１過程と、感光体上に網点密度１００％の静電潜像Ｐ２を形成し現像によりトナー像を形成してそのトナー像を感光体上から除去する第２過程と、感光体上に網点密度０％の静電潜像を形成し電位計で感光体の静電電位を測定して第２の測定値を得る第３過程と、を実行し、それにより得られる第１の測定値と第２の測定値とに基づいて、除電器により照射される除電光の光量を調整する。【選択図】図８
2017173550.tif 000002
【特許請求の範囲】
【請求項１】
回転しながらトナー像の形成を受けて形成されたトナー像を保持する像保持体と、
前記像保持体を帯電する帯電器と、
前記像保持体を露光して該像保持体上に電位分布による潜像を形成する露光器と、
前記像保持体に形成された前記潜像をトナーで現像して該像保持体上にトナー像を形成する現像器と、
前記像保持体上に形成されたトナー像を被転写体に転写する転写器と、
前記像保持体上に除電光を照射して該像保持体を除電する除電器と、
転写後の前記像保持体上に残存するトナーを清掃する清掃器と、
前記像保持体上の静電電位を測定する電位計と、
を備えて、前記像保持体への帯電、露光、および現像によるトナー像形成過程を実行する画像形成部における、前記除電器により照射される除電光の光量を調整する除電光量調整装置であって、
前記画像形成部に、
前記像保持体を第１の目標電位に帯電する第１のトナー像形成過程を実行させながら前記電位計に該像保持体上の静電電位を測定させて第１の測定値を得る第１過程と、
前記像保持体を前記第１の目標電位とは異なる第２の目標電位に帯電する第２のトナー像形成過程を実行させて該第２のトナー像形成過程により該像保持体上に形成されたトナー像を像保持体上から除去する第２過程と、
前記像保持体を第３の目標電位に帯電する第３のトナー像形成過程を実行させながら前記電位計に該像保持体上の静電電位を測定させて第２の測定値を得る第３過程と、を実行させる電位測定制御部、および、
前記第１の測定値と前記第２の測定値とに基づいて、前記除電器により照射される除電光の光量を調整する光量調整部、
を備えたことを特徴とする除電光量調整装置。
【請求項２】
前記第１過程における前記第１目標電位と前記第３過程における前記第３目標電位とが同一の目標電位であることを特徴とする請求項１に記載の除電光量調整装置。
【請求項３】
前記第１過程における第１のトナー像形成過程と前記第３過程における第３のトナー像形成過程との双方が、前記像保持体上へのトナーの付着のない、網点密度０％のトナー像を形成するトナー像形成過程であることを特徴とする請求項２に記載の除電光量調整装置。
【請求項４】
前記第２過程における第２のトナー像形成過程が、トナーで埋まった網点密度１００％のトナー像を形成するトナー像形成過程であることを特徴とする請求項２または３に記載の除電光量調整装置。
【請求項５】
前記第１過程における第１のトナー像形成過程、前記第２過程における第２のトナー像形成過程、および前記第３過程における第３のトナー像形成過程とのいずれもが、前記像保持体一周分にわたるトナー像を形成するトナー像形成過程であることを特徴とする請求項１から４のうちのいずれか１項に記載の除電光量調整装置。
【請求項６】
回転しながらトナー像の形成を受けて形成されたトナー像を保持する像保持体と、
前記像保持体を帯電する帯電器と、
前記像保持体を露光して該像保持体上に電位分布による潜像を形成する露光器と、
前記像保持体に形成された前記潜像をトナーで現像して該像保持体上にトナー像を形成する現像器と、
前記像保持体上に形成されたトナー像を被転写体に転写する転写器と、
前記像保持体上に除電光を照射して該像保持体を除電する除電器と、
転写後の前記像保持体上に残存するトナーを清掃する清掃器と、
前記像保持体上の静電電位を測定する電位計と、
を備えて、前記像保持体への帯電、露光、および現像によるトナー像形成過程を実行する画像形成部、
前記被転写体自体からなる用紙上のトナー像もしくは該被転写体からさらにトナー像の転写を受けた用紙上のトナー像を該用紙上に定着する定着器、並びに、
前記画像形成部に、
前記像保持体を第１の目標電位に帯電する第１のトナー像形成過程を実行させながら前記電位計に該像保持体上の静電電位を測定させて第１の測定値を得る第１過程と、
前記像保持体を前記第１の目標電位とは異なる第２の目標電位に帯電する第２のトナー像形成過程を実行させて該第２のトナー像形成過程により該像保持体上に形成されたトナー像を像保持体上から除去する第２過程と、
前記像保持体を第３の目標電位に帯電する第３のトナー像形成過程を実行させながら前記電位計に該像保持体上の静電電位を測定させて第２の測定値を得る第３過程と、を実行させる電位測定制御部、および、
前記第１の測定値と前記第２の測定値とに基づいて、前記除電器により照射される除電光の光量を調整する光量調整部、
を有する除電光量調整部、
を備えたことを特徴とする画像形成装置。
【発明の詳細な説明】
【技術分野】
【０００１】
本発明は、除電光量調整装置および画像形成装置に関する。
【背景技術】
【０００２】
像保持体の露光履歴が原因で前に形成した画像の残像を含む画像が形成されることが有る。
【０００３】
特許文献１には、感光体ドラムの使用履歴に応じて除電器の動作条件を変更することが提案されている。
【０００４】
特許文献２には、感光体上の静電潜像を形成した場所において、感光体１周期後に再び静電潜像を形成したときのトナー付着濃度と、感光体上の静電潜像を形成しなかった場所において、感光体１周期後に静電潜像を形成したときのトナー付着濃度とを検出し、それらのトナー付着濃度の濃度差に応じて除電光量を制御することが提案されている。
【０００５】
特許文献３には、感光体の膜厚、画像形成待機時間、感光体の温度、感光体の材料の種類、感光体の製造ロット等に基づいて、帯電器のグリッド電圧、現像バイアス電圧、除電ランプ光量等を、感光体が一回転するごとに変えることが提案されている。
【先行技術文献】
【特許文献】
【０００６】
【特許文献１】特開２００８−１９１５５４号公報
【特許文献２】特開２００８−３１０３１１号公報
【特許文献３】特開平５−２８９４５８号公報
【発明の概要】
【発明が解決しようとする課題】
【０００７】
本発明は、除電器により照射される除電光の光量を残像の発生を抑える光量に調整する除電光量調整装置および画像形成装置を提供することを目的とする。
【課題を解決するための手段】
【０００８】
請求項１は、
回転しながらトナー像の形成を受けて形成されたトナー像を保持する像保持体と、
前記像保持体を帯電する帯電器と、
前記像保持体を露光して該像保持体上に電位分布による潜像を形成する露光器と、
前記像保持体に形成された前記潜像をトナーで現像して該像保持体上にトナー像を形成する現像器と、
前記像保持体上に形成されたトナー像を被転写体に転写する転写器と、
前記像保持体上に除電光を照射して該像保持体を除電する除電器と、
転写後の前記像保持体上に残存するトナーを清掃する清掃器と、
前記像保持体上の静電電位を測定する電位計と、
を備えて、前記像保持体への帯電、露光、および現像によるトナー像形成過程を実行する画像形成部における、前記除電器により照射される除電光の光量を調整する除電光量調整装置であって、
前記画像形成部に、
前記像保持体を第１の目標電位に帯電する第１のトナー像形成過程を実行させながら前記電位計に該像保持体上の静電電位を測定させて第１の測定値を得る第１過程と、
前記像保持体を前記第１の目標電位とは異なる第２の目標電位に帯電する第２のトナー像形成過程を実行させて該第２のトナー像形成過程により該像保持体上に形成されたトナー像を像保持体上から除去する第２過程と、
前記像保持体を第３の目標電位に帯電する第３のトナー像形成過程を実行させながら前記電位計に該像保持体上の静電電位を測定させて第２の測定値を得る第３過程と、を実行させる電位測定制御部、および、
前記第１の測定値と前記第２の測定値とに基づいて、前記除電器により照射される除電光の光量を調整する光量調整部、
を備えたことを特徴とする除電光量調整装置である。
【０００９】
請求項２は、前記第１過程における前記第１目標電位と前記第３過程における前記第３目標電位とが同一の目標電位であることを特徴とする請求項１に記載の除電光量調整装置である。
【００１０】
請求項３は、前記第１過程における第１のトナー像形成過程と前記第３過程における第３のトナー像形成過程との双方が、前記像保持体上へのトナーの付着のない、網点密度０％のトナー像を形成するトナー像形成過程であることを特徴とする請求項２に記載の除電光量調整装置である。
【００１１】
請求項４は、前記第２過程における第２のトナー像形成過程が、トナーで埋まった網点密度１００％のトナー像を形成するトナー像形成過程であることを特徴とする請求項２または３に記載の除電光量調整装置である。
【００１２】
請求項５は、前記第１過程における第１のトナー像形成過程、前記第２過程における第２のトナー像形成過程、および前記第３過程における第３のトナー像形成過程とのいずれもが、前記像保持体一周分にわたるトナー像を形成するトナー像形成過程であることを特徴とする請求項１から４のうちのいずれか１項に記載の除電光量調整装置である。
【００１３】
請求項６は、
回転しながらトナー像の形成を受けて形成されたトナー像を保持する像保持体と、
前記像保持体を帯電する帯電器と、
前記像保持体を露光して該像保持体上に電位分布による潜像を形成する露光器と、
前記像保持体に形成された前記潜像をトナーで現像して該像保持体上にトナー像を形成する現像器と、
前記像保持体上に形成されたトナー像を被転写体に転写する転写器と、
前記像保持体上に除電光を照射して該像保持体を除電する除電器と、
転写後の前記像保持体上に残存するトナーを清掃する清掃器と、
前記像保持体上の静電電位を測定する電位計と、
を備えて、前記像保持体への帯電、露光、および現像によるトナー像形成過程を実行する画像形成部、
前記被転写体自体からなる用紙上のトナー像もしくは該被転写体からさらにトナー像の転写を受けた用紙上のトナー像を該用紙上に定着する定着器、並びに、
前記画像形成部に、
前記像保持体を第１の目標電位に帯電する第１のトナー像形成過程を実行させながら前記電位計に該像保持体上の静電電位を測定させて第１の測定値を得る第１過程と、
前記像保持体を前記第１の目標電位とは異なる第２の目標電位に帯電する第２のトナー像形成過程を実行させて該第２のトナー像形成過程により該像保持体上に形成されたトナー像を像保持体上から除去する第２過程と、
前記像保持体を第３の目標電位に帯電する第３のトナー像形成過程を実行させながら前記電位計に該像保持体上の静電電位を測定させて第２の測定値を得る第３過程と、を実行させる電位測定制御部、および、
前記第１の測定値と前記第２の測定値とに基づいて、前記除電器により照射される除電光の光量を調整する光量調整部、
を有する除電光量調整部、
を備えたことを特徴とする画像形成装置である。
【発明の効果】
【００１４】
請求項１の除電光量調整装置および請求項６の画像形成装置によれば、除電器から照射される除電光の光量が、残像の発生を抑える除電光量に調整される。
【００１５】
請求項２の除電光量調整装置によれば、第１目標電位と第３目標電位とが別々の目標電位である場合と比べ、残像の発生を抑える除電光量の算出が容易である。
【００１６】
請求項３の除電光量調整装置によれば、前記第１過程における第１のトナー像形成過程と前記第３過程における第３のトナー像形成過程が、０％以外の網点密度のトナー像を形成するトナー像形成過程である場合と比べ、残像の発生を抑える除電光量の算出精度が向上する。
【００１７】
請求項４の除電光量調整装置によれば、第２過程における第２のトナー像形成過程が、１００％以外の網点密度のトナー像を形成するトナー像形成過程である場合と比べ、残像の発生を抑える除電光量の算出精度が向上する。
【００１８】
請求項５の除電光量調整装置によれば、第１過程における第１のトナー像形成過程、第２過程における第２のトナー像形成過程、および第３過程における第３のトナー像形成過程とのいずれか又は全てが、像保持体複数周分にわたるトナー像を形成するトナー像形成過程である場合と比べ、残像の発生を抑える除電光量が最短で算出される。
【図面の簡単な説明】
【００１９】
【図１】本発明の画像形成装置の一実施形態としての連帳プリンタの概略構成を示した図である。
【図２】用紙上に同じ構図の画像が繰り返し形成されている様子を示した図である。
【図３】残像発生原因の説明図である。
【図４】除電光量の過不足と残像との関係を示した図である。
【図５】除電光量（横軸）と残像（縦軸）との関係を示した図である。
【図６】除電器の発光光量ばらつきを示した図である。
【図７】除電器の累積発光時間（横軸）に対する除電光量の変化を示した図である。
【図８】除電光量調整モードにおける、感光体上に形成される静電潜像の模式図である。
【発明を実施するための形態】
【００２０】
以下、本発明の実施の形態について説明する。
【００２１】
図１は、本発明の画像形成装置の一実施形態としての連帳プリンタの概略構成を示した図である。この連帳プリンタには、本発明の一実施形態としての除電光量調整装置が備えられている。
【００２２】
用紙ホッパ１１には、折りたたまれた状態の用紙Ｐが収容されている。この用紙ホッパ１１に収容されている用紙Ｐは、前置トラクタ１３、上流側トラクタ１４により矢印Ａの向きに搬送されて感光体２０に対面した転写位置を経由し、さらに下流側トラクタ１５により矢印Ｂの向きに搬送され、フラッシュ定着器１６を経由して、用紙スタッカ１２に、折り畳まれるようにして収容される。
【００２３】
感光体２０は、ドラム形状を有し、矢印Ｒの向きに回転する。この感光体２０の周りには、帯電器２１、露光器２２、現像器２３が配置されており、帯電、露光、現像のプロセスにより、感光体２０上にトナー像が形成される。この感光体２０上に形成されたトナー像は、転写器２４により用紙Ｐ上に転写される。
【００２４】
転写後の感光体２０は、除電器２５により除電され、さらに、クリーニングブラシ２６１とクリーニングブレード２６２とを有するクリーナ２６により清掃される。
【００２５】
用紙Ｐに転写されたトナー像は、用紙Ｐの搬送に従ってフラッシュ定着器１６に進み、そのフラッシュ定着器１６によるフラッシュ光の照射を受けて、その用紙Ｐ上に定着される。フラッシュ定着器１６によるフラッシュ発光時に発生した飛散トナーや微細紙粉は、吸引器１７により吸引される。用紙Ｐは、その後、用紙スタッカ１２に収容される。
【００２６】
この連帳プリンタ１０は、制御部３０を備えており、以上の動作は、制御部３０による制御の下で実行される。
【００２７】
また、この連帳プリンタ１０は、感光体２０の表面電位を測定する電位計２７を備えている。この電位計２７での測定により得られた電位データは制御部３０に入力される。制御部３０では、その受け取った電位データに基づいて、除電器２５から感光体２０に照射すべき除電光の光量が算出され、その算出した光量の除電光が感光体２０に照射されるように、除電器２５を制御する。詳細は後述する。
【００２８】
ここで、本実施形態の説明から一旦離れて、残像と、その残像発生の原因について説明する。
【００２９】
図２は、用紙上に同じ構図の画像５０ａ，５０ｂ，５０ｃ，・・・が繰り返し形成されている様子を示した図である。
【００３０】
各画像５０ａ，５０ｂ，５０ｃ，・・・には、「ＡＢＣＤＥＦＧ」の文字５１と、ハーフトーンの模様５２が描かれている。ここで、感光体２０上の、ある画像５０ａの文字５１を描いた箇所に対する、感光体５０の一周後の同じ個所に、別の画像５０ｃのハーフトーンの模様５２が描かれたとする。このような状況が発生すると、感光体２０の一周前に描いた文字５１の残像５１’がそのハーフトーンの模様５２に重なって現れるという現象がある。
【００３１】
図３は、残像発生原因の説明図である。
【００３２】
感光体２０は、回転しながら、帯電器２１による帯電、露光器２２による露光、現像器２３による現像、その現像により形成されたトナー像の、転写器２４による用紙Ｐ上への転写、および、除電器２５による除電のサイクルを繰り返す。
【００３３】
図３（Ａ）は、帯電後の感光体の表面電位分布を模式的に表した図である。ここでは、感光体表面が一様に帯電されている。
【００３４】
図３（Ｂ）は、露光後の感光体の表面電位分布を模式的に表した図である。露光した部分の電位が下がり、静電潜像が形成されている。
【００３５】
図３（Ｃ），（Ｄ）は、それぞれ、転写後および除電後の感光体の表面電位分布を模式的に表した図である。除電後であっても除電光量が不足していると、図３（Ｄ）に示すような静電潜像の残像が残ることがある。
【００３６】
図３（Ｅ）は、次のサイクルでの帯電後の感光体の表面電位分布を模式的に表した図である。前のサイクルでの除電後に残った残像を引き継いだまま帯電されている。この残像を引き継いでいる部分に残像が顕在化しやすいハーフトーン画像が重なると、用紙Ｐ上に形成された画像に、図２に示したような残像が現れることになる。
【００３７】
図４は、除電光量の過不足と残像との関係を示した図である。
【００３８】
図４（Ｃ）は、図３（Ｃ）と同じく、転写後の感光体の表面電位分布を示している。
【００３９】
除電光量が不足していると、図３を参照して説明した通り、転写後の静電潜像を消去しきれずに除電後でも静電潜像の残像（いわゆるポジ残像）が残り（図４（Ｄ））、次の帯電でもそのポジ残像が引き継がれる（図４（Ｅ））。
【００４０】
一方、除電光量が強すぎると、図４（Ｆ）に示すように、除電後に電位分布が逆転した残像（いわゆるネガ残像）が発生し、次の帯電でもそのネガ残像が引き継がれる。このネガ残像も、用紙上に形成される画像上に顕在化するおそれがある。
【００４１】
感光体２０上に形成されたトナー像は転写器２４の作用により用紙Ｐ上に転写されるが、そのトナー像を形成しているトナーが必ずしも１００％転写される訳ではなく、感光体２０上に残存するトナーも一部存在する。ここに強い光量の除電光が照射されると、感光体２０上の、転写前のトナー像のトナーが存在しなかった箇所は強く除電されるが、トナーが存在していた箇所は、転写後の残存トナーにより除電光の一部が遮られ、トナーが存在しなかった箇所ほどには除電されない。そうすると、図４（Ｆ）に示すようなネガ残像が発生し、除電されなかった箇所の画像が白抜けすることがある。
【００４２】
すなわち、除電光は強すぎても弱すぎても残像が発生するおそれがある。したがって、強過ぎでもなく弱過ぎでもない、適正光量の除電光とする必要がある。
【００４３】
図５は、除電光量（横軸）と残像（縦軸）との関係を示した図である。２本のグラフＡ，Ｂは、個体差のある２つの感光体Ａ，Ｂの、除電光量に対する残像強度の変化を表わしている。残像強度０Ｖの近傍には、用紙Ｐ上にはほとんど残像が現れない残層許容範囲が設定されている。したがって、感光体Ａに関しては、除電光量範囲ＤA内の強度の除電光量に調整することにより、また、感光体Ｂに関しては、除電光量範囲ＤB内の強度の除電光量に調整することにより、感光体上の残像を残層許容範囲内とすることができる。
【００４４】
図６は、除電器の発光光量ばらつきを示した図である。
【００４５】
この図６の横軸は、主走査方向（図１の紙面に垂直な方向、用紙Ｐの幅方向）の各位置を表わしている。また、この図６の縦軸は、除電器２５から発せられる除電光量を表わしている。本実施形態の連帳プリンタには、ある一定の発光条件で発光させたときに、上限値ＵＬ以下、かつ下限値ＤＬ以上の除電光量となるように調整あるいは選別された除電器２５が使われている。このことは、その発光条件下でグラフｂのように上下限値ＵＬ，ＤＬに挟まれた光量公差の中央値の除電光量で発光する除電器のみでなく、グラフａのように上限値ＵＬに寄った除電光量の除電器や、グラフｃのように下限値ＤＬに寄った除電光量の除電器が存在することを意味している。この除電器の発光能力の違いも、残像の発生に影響する。
【００４６】
図７は、除電器の累積発光時間（横軸）に対する除電光量の変化を示した図である。
【００４７】
この図７に示す通り、除電器を長期間使用すると、経時により、同一の発光条件下での除電光量が低下していく。この除電器の経時変化も、残像の発生に影響する。
【００４８】
以上の残像現象およびその発生原因の説明を踏まえ、本実施形態における除電光量調整モードについて説明する。
【００４９】
図８は、除電光量調整モードにおける、感光体上に形成される静電潜像の模式図である。
【００５０】
この除電光量調整モードは、一例として、連帳プリンタ１０への電力投入時、および、オペレータにより指定されたタイミングで実行される。
【００５１】
この除電光量調整モードでは、図１に示す制御部３０による制御の下で、感光体２０の表面電位測定が行われ、さらに、その測定された表面電位に応じて除電器２５により感光体２０に照射される除電光の光量が調整される。この除電光量調整モードにおける感光体２０の表面電位測定は、以下に説明する、第１過程と第２過程と第３過程とを有する。
【００５２】
感光体２０の表面電位測定における第１過程は、感光体２０を第１の目標電位に帯電する第１のトナー像形成過程を実行させながら電位計２７に感光体２０上の静電電位を測定させて第１の測定値を得る過程である。具体的には、本実施形態では、この第１過程において、感光体２０上に第１の目標電位として、網点密度０％の静電潜像Ｐ１が、感光体２０の一周分の長さにわたって形成される。この静電潜像Ｐ１は、網点密度０％であるため、現像器２３によっては現像されず、いわば白紙のままのトナー像となる。
【００５３】
この第１過程では、電位計２７によって、その網点密度０％の電位が測定される。これはすなわち、図３（Ａ）に示す帯電後の電位を測定することを意味している。本実施形態では、静電潜像Ｐ１の電位測定は、感光体２０の一周分にわたって行われ、その一周分の平均的な電位が求められる。本実施形態では、このようにして求められた電位が、本発明にいう第１の測定値の一例に相当する。
【００５４】
また、第２過程は、感光体２０を、上記の第１の目標電位とは異なる第２の目標電位に帯電する第２のトナー像形成過程を実行させてその第２のトナー像形成過程により感光体２０上に形成されたトナー像を感光体２０上から除去する過程である。具体的には、本実施形態では、この２の目標電位として、感光体２０上に、網点密度１００％の静電潜像Ｐ２が形成される。この網点密度１００％の静電潜像Ｐ２も、上記の網点密度０％の静電潜像Ｐ１と同様、感光体２０の一周分の長さにわたって形成される。なお、形成される静電潜像Ｐ２の感光体２０の長手方向における幅は、図８に示すように、長手方向全域にわたって形成しても良いが、電位計２７が配置された感光体２０の長手方向の位置において、電位計の測定範囲を含むように所定幅で形成するようにしてもよい。この場合、除去されるトナー像が少なくなる。
【００５５】
この網点密度１００％の静電潜像Ｐ２は、現像器２３により現像され、全面がトナーで埋まったトナー像が形成される。このトナー像は、用紙Ｐに転写され、残トナーがクリーナ２６により除去される。
【００５６】
さらに、第３過程は、感光体２０を第３の目標電位に帯電する第３のトナー像形成過程を実行させながら電位計２７に感光体２０上の静電電位を測定させて第２の測定値を得る過程である。具体的には、本実施形態では、この第３過程では、感光体２０上に第３の目標電位として、上述の第１過程と同じく、網点密度０％の静電潜像Ｐ３が、感光体２０の一周分の長さにわたって形成される。この第３過程では、電位計２７によってその網点密度０％の静電潜像Ｐ３の電位が感光体２０の一周分にわたって測定され、その平均的な電位が求められる。
【００５７】
この第３過程によって得られた電位は、図３（Ｅ）、図４（Ｅ）に示す、残像により下がった電位、あるいは図４（Ｇ）に示す残像により上昇した電位に相当する。本実施形態では、この第３過程で得られた電位が、本発明にいう第２の測定値の一例に相当する。
【００５８】
この除電光量調整モードでは、さらに、第１過程で得られた電位と第３過程で得られた電位との差分電位が算出される。そして、その差分電位のプラス、マイナスの符号に応じた方向に、その差分電位の絶対値に応じた量だけ、除電光量が調整される。
【００５９】
このとき、連帳プリンタ１０に実際に使用されている感光体２０や除電器２５の特性を予め測定しておき、さらに、感光体２０や除電器２５等の使用履歴を把握しておいて、上記の第１〜第３の過程を１回行うだけで、残像許容範囲内であって、さらに残像０Ｖ（図５参照）に調整してもよい。あるいは、詳細な特性は考慮せずに、上記の第１〜第３の過程を繰り返しながら、少しずつ調整してもよい。
【００６０】
本実施形態によれば、感光体２０の特性のばらつき（図５）、除電器２５の特性のばらつき（図６）、除電器２５の特性の経時変化（図７）があっても、除電光量を残層許容範囲内に調整することができる。
【００６１】
なお、本実施形態では、第１の目標電位と第３の目標電位が、網点密度０％の静電潜像の電位であるとして説明したが、第１の目標電位と第３の目標電位は必ずしも網点密度０％の静電潜像の電位である必要はない。ただし、第２の目標電位との電位差が大きい方が現在の残像レベルを高精度に算出することができるため、第１の目標電位と第３の目標電位は網点密度０％の電位であることが好ましい。
【００６２】
また、本実施形態では、第２の目標電位が網点密度１００％の静電潜像の電位であるとして説明したが、第２の目標電位は必ずしも網点密度１００％の静電潜像の電位である必要はない。ただし、第１の目標電位や第２の目標電位との電位差が大きい方が現在の残像レベルを高精度に算出することができるため、第２の目標電位は網点密度１００％の電位であることが好ましい。
【００６３】
さらに、第１の目標電位と第３の目標電位は、必ずしも同一の電位である必要はなく、別々の電位であっても、測定後の計算により、現在の残像のレベルを算出することができる。ただし、第１の目標電位と第３の目標電位とが揃っていた方が計算が容易であり、また、上述の通り、第２の目標電位との電位差を最大限の電位差にしようとすると、第１の目標電位と第３の目標電位の双方が網点密度１００％の電位に揃うことになる。
【００６４】
さらには、本実施形態では、第１過程における網点密度０％の静電潜像Ｐ１、第２過程における網点密度１００％の静電潜像Ｐ２、第３過程における網点密度０％の静電潜像Ｐ３は、いずれも感光体２０の一周分にわたる長さに形成されている。感光体２０の一周分にわたる平均的な電位の測定に当たっては、各静電潜像Ｐ１，Ｐ２，Ｐ３は、感光体２０の一周分の長さの静電潜像であれば十分であり、それ以上に長い静電潜像の形成は時間の浪費やトナーの浪費となるおそれがある。
【００６５】
また、各静電潜像Ｐ１，Ｐ２，Ｐ３は、感光体２０の一周分の長さよりも短い静電潜像であっても、それら３つの各静電潜像Ｐ１，Ｐ２，Ｐ３を感光体２０上の同一箇所に形成すれば、その形成した箇所の電位測定を行って除電光量を調整することができる。ただし、感光体２０の一周分にわたる測定結果を採用したほうが、感光体２０の全周にわたって好ましい除電光量に調整することができる。
【００６６】
なお、本実施形態では、図１に示す連帳プリンタ１０を例に挙げて説明したが、本発明は、連帳プリンタのみでなく、いわゆるカット紙上に画像を形成するモノクロあるいはカラーの画像形成装置にも広く適用することができる。
【符号の説明】
【００６７】
１０  連帳プリンタ
１１  用紙ホッパ
１２  用紙スタッカ
１３  前置トラクタ
１４  上流側トラクタ
１５  下流側トラクタ
１６  フラッシュ定着器
１７  吸引器
２０  感光体
２１  帯電器
２２  露光器
２３  現像器
２４  転写器
２５  除電器
２６  クリーナ
２７  電位計
５０ａ，５０ｂ，５０ｃ  同じ構図の画像
【図１】
2017173550.tif 000003
【図２】
2017173550.tif 000004
【図３】
2017173550.tif 000005
【図４】
2017173550.tif 000006
【図５】
2017173550.tif 000007
【図６】
2017173550.tif 000008
【図７】
2017173550.tif 000009
【図８】
2017173550.tif 000010